(57)【要約】【課題】  物体が載置面と接触する部分の通気性を良好に確保すると共に、取扱性や汎用性に優れる通気用スペーサを提供する。【解決手段】  マトリクス状に配置された複数の支持体１０と、隣接する支持体１０同士を連結する連結部材２とを備え、物体と載置面との間に介在させて、それぞれに各支持体１０の上部および下部を当接させることにより、通気用の空間を形成する通気用スペーサであって、支持体１０は、一体的に形成された第１の支持体２０と、複数の部材に分離可能な第２の支持体３０とを含んでおり、第２の支持体３０を分割線Ｄ１，Ｄ２に沿って配置することにより、分割線Ｄ１，Ｄ２において分割することができる。【選択図】  図１
2016059745.tif 000002
【特許請求の範囲】
【請求項１】
マトリクス状に配置された複数の支持体と、
隣接する前記支持体同士を連結する連結部材とを備え、
物体と載置面との間に介在させて、それぞれに前記各支持体の上部および下部を当接させることにより、通気用の空間を形成する通気用スペーサであって、
前記支持体は、一体的に形成された第１の支持体と、複数の部材に分離可能な第２の支持体とを含んでおり、
前記第２の支持体を分割線に沿って配置することにより、前記分割線において分割可能な通気用スペーサ。
【請求項２】
前記第１の支持体および第２の支持体は、同じ大きさおよび形状を有する請求項１に記載の通気用スペーサ。
【請求項３】
前記第２の支持体は、円柱部の上部に拡径された頭部を備える結合ピンと、前記円柱部が嵌入される環状の結合リングとを備える請求項１または２に記載の通気用スペーサ。
【請求項４】
前記結合リングは、内周面がテーパ状に形成されている請求項３に記載の通気用スペーサ。
【発明の詳細な説明】
【技術分野】
【０００１】
本発明は、通気用スペーサに関し、より詳しくは、敷布団などの物体と当該物体を載置する載置面との間に配置して、この間の通気性を確保する通気用スペーサに関する。
【背景技術】
【０００２】
敷布団と床面との間に配置して通気用の空間を形成するため、スノコ状のスペーサが従来から知られている。例えば、特許文献１には、横方向に延びる受板部材を、縦方向に間隔をあけて連結部材により複数連結したすのこマットが開示されている。
【先行技術文献】
【特許文献】
【０００３】
【特許文献１】特開２００７−２８２６７５号公報
【発明の概要】
【発明が解決しようとする課題】
【０００４】
ところが、上記従来のすのこマットは、横方向に延びる受板部材の全体が敷布団と接触して支持するため、通気性が十分でなく、長時間放置した場合には、この接触部分にカビが発生し易いという問題があった。
【０００５】
また、上記のすのこマットは、不使用時に巻き付けや折り曲げが可能とされているが、受板部材は折り畳みできないため嵩張るだけでなく重量が重いので、移動や収納が不便であるという問題があった。また、収納時に受板部材がタンスの内壁面に接触したまま放置すると、この部分にもカビが生じ易いという問題があった。
【０００６】
更に、上記のすのこマットは、サイズが予め決まっているため、他の用途に転用し難いという問題もあった。
【０００７】
そこで、本発明は、物体が載置面と接触する部分の通気性を良好に確保すると共に、取扱性や汎用性に優れる通気用スペーサの提供を目的とする。
【課題を解決するための手段】
【０００８】
本発明の前記目的は、マトリクス状に配置された複数の支持体と、隣接する前記支持体同士を連結する連結部材とを備え、物体と載置面との間に介在させて、それぞれに前記各支持体の上部および下部を当接させることにより、通気用の空間を形成する通気用スペーサであって、前記支持体は、一体的に形成された第１の支持体と、複数の部材に分離可能な第２の支持体とを含んでおり、前記第２の支持体を分割線に沿って配置することにより、前記分割線において分割可能な通気用スペーサにより達成される。
【０００９】
この通気用スペーサにおいて、前記第１の支持体および第２の支持体は、同じ大きさおよび形状を有することが好ましい。
【００１０】
前記第２の支持体は、円柱部の上部に拡径された頭部を備える結合ピンと、前記円柱部が嵌入される環状の結合リングとを備えることができる。
【００１１】
前記結合リングは、内周面がテーパ状に形成されていることが好ましい。
【発明の効果】
【００１２】
本発明によれば、物体が載置面と接触する部分の通気性を良好に確保すると共に、取扱性や汎用性に優れる通気用スペーサを提供することができる。
【図面の簡単な説明】
【００１３】
【図１】本発明の一実施形態に係る通気用スペーサの平面図である。
【図２】図１に示す通気用スペーサの要部断面図である。
【図３】図１に示す通気用スペーサを分割した状態を示す要部断面図である。
【図４】本発明の他の実施形態に係る通気用スペーサを分割した一部を示す平面図である。
【発明を実施するための形態】
【００１４】
以下、本発明の実施の形態について、添付図面を参照して説明する。図１は、本発明の一実施形態に係る通気用スペーサの平面図である。図１に示すように、通気用スペーサ１は、柱状に形成された複数の支持体１０がマトリクス状に配置されており、行方向および列方向に隣接する支持体１０，１０が連結部材２により連結されて構成されている。支持体１０および連結部材２０は、例えば合成樹脂やゴム材等からなり、可撓性を有している。
【００１５】
図２は、通気用スペーサ１の要部断面図であり、図１のＡ−Ａ断面に対応している。図１および図２に示すように、支持体１０は、第１の支持体２０および第２の支持体３０の２種類から構成されている。第１の支持体２０および第２の支持体３０は、概ね同じ大きさおよび形状を有しており、複数の支持体１０のうち、図１に示す分割線Ｄ１，Ｄ２に沿って配置されたものを第１の支持体２０とし、その他のものを第２の支持体３０としている。支持体１０（第１の支持体２０および第２の支持体３０）の形状は特に限定されないが、単独で起立可能な形状であることが好ましい。分割線Ｄ１，Ｄ２は、本実施形態では直線状としているが、千鳥状等の折線状であってもよい。
【００１６】
第１の支持体２０は、一体的に形成された本体２１からなり、本体２１の上部中央および下部中央にそれぞれ凹部２２，２３が形成されることにより、各凹部２２，２３の周囲にリング状の当接面２４，２５を有している。
【００１７】
第２の支持体３０は、結合ピン３１および結合リング３２からなり、結合ピン３１および結合リング３２は、互いに分離可能である。結合ピン３１は、円柱部３１ａの上部に拡径された頭部３１ｂを備えており、上部中央および下部中央にそれぞれ凹部３３，３４が形成されることにより、各凹部３３，３４の周囲にリング状の当接面３５，３６を有している。結合リング３２は、結合ピン３１の円柱部３１ａが着脱可能に嵌入される環状の部材であり、内周面３２ａが下方に向けて縮径されるテーパ状に形成されることで、嵌入された円柱部３１ａの外周面と密着するように構成されている。
【００１８】
連結部材２は、長手方向の中央部が狭く両端部が広い帯状の部材であり、上方に凸となるように湾曲する湾曲部２ａが中央部に形成されることで、この湾曲部２ａにおいて容易に変形可能とされている。連結部材２は、本実施形態においては支持体１０を格子状に連結しており、各支持体１０（第１の支持体２０および第２の支持体３０）には、４個の連結部材２が連結されているが、必ずしも限定されるものではなく、２個以上の連結部材２が支持体１０に連結される構成であればよい。
【００１９】
上記の構成を備える通気用スペーサ１は、物体と載置面との間に介在されることにより、支持体１０（第１の支持体２０および第２の支持体３０）の上部および下部がそれぞれ物体および載置面に当接して、物体および載置面の間に空間を形成することができる。したがって、従来のスノコ状のスペーサに比べて物体や載置面との接触面積を低減することができ、全体の通気性を高めて結露やカビ等の発生を防止することができる。支持体１０の高さは、特に限定されるものではないが、物体を確実に支持しつつ通気用の空間を確保できるように、例えば５〜３０ｍｍ程度であることが好ましい。
【００２０】
支持体１０（第１の支持体２０および第２の支持体３０）は、物体の全体を確実に支持できる範囲で、物体や載置面との接触面積をなるべく小さくすることが好ましい。本実施形態においては、第１の支持体２０および第２の支持体３０の上部および下部に、それぞれ凹部２２，２３，３３，３４を形成することにより、物体および載置面と当接する当接面２４，２５，３５，３６の当接面積を低減している。物体や載置面における結露やカビを確実に防止するため、通気用スペーサ１の上部または下部における当接面の面積の合計は、通気用スペーサ１の平面視における輪郭線で囲まれた面積の３０％以下であることが好ましい。
【００２１】
第２の支持体３０は、図３に示すように、結合ピン３１と結合リング３２とに分離することができるので、図１に示す分割線Ｄ１（またはＤ２）に沿って第２の支持体３０を分離することにより、通気用スペーサ１を複数に分割することができる。したがって、通気用スペーサ１の収納や搬送、洗浄等を容易に行うことができると共に、支持する物体の大きさや形状に合わせて通気用スペーサ１を適宜分割することができ、汎用性を高めることができる。なお、第２の支持体３０に対する連結部材２の連結箇所は、通気用スペーサ１を複数に分割できるように、結合ピン３１または結合リング３２のいずれかが適宜選択される。
【００２２】
また、第１の支持体２０および第２の支持体３０は、互いに略同じ大きさおよび形状を有しており、マトリクス状に均等に配置されているため、上記のように通気用スペーサ１を分割可能としつつ、物体の全体を確実に支持することができる。このような構成は、物体が敷布団のように大型である場合に特に有効であり、物体の局所的な結露やカビの発生を確実に防止しつつ、移動や収納時には通気用スペーサ１を分割して小型軽量化することができ、取扱性を良好にすることができる。
【００２３】
通気用スペーサ１の全体形状は、主たる使用目的等に応じて適宜決定することができ、分割線の位置も特に限定されるものではない。図４は、通気用スペーサを構成するパーツ１００の一例を示す平面図である。このパーツ１００は、全体が略正方形状に形成されており、マトリクス状に配置された第１の支持体２０の外縁に沿って、第２の支持体を構成する結合ピン３１および結合リング３２が配置されている。結合ピン３１はパーツ１００の外縁における２辺に沿って配置され、結合リング３２はパーツ１００の外縁における他の２辺に沿って配置されている。このパーツ１００は、複数をマトリクス状の行方向および列方向に沿って連結することにより、パーツ１００の各辺に沿って分割線Ｄを有する通気用スペーサを構成することができ、例えば、敷布団用として好適に使用することができる。
【００２４】
本実施形態の通気用スペーサ１は、敷布団やマット等の敷物用として好ましく使用できる他、引出しや箱、家具等に収容する物品や、床面・天井面等に載置する物品等にも使用することができ、取扱性や汎用性に優れることを利用して、種々の用途に用いることができる。
【符号の説明】
【００２５】
１  通気用スペーサ
２  連結部材
１０  支持体
２０  第１の支持体
３０  第２の支持体
３１  結合ピン
３１ａ  円柱部
３１ｂ  頭部
３２  結合リング
Ｄ，Ｄ１，Ｄ２  分割線
【図１】
2016059745.tif 000003
【図２】
2016059745.tif 000004
【図３】
2016059745.tif 000005
【図４】
2016059745.tif 000006